(57)【特許請求の範囲】
【請求項１】
マスクと組み合わせて使用し、マスクの上部に装着する眼鏡の曇り防止具であって、前記マスクから漏出した呼気が、該マスクの前面を上昇する経路を遮断するために、不透過性の薄板からなる廂状の呼気上昇防止部材を備えることを特徴とする眼鏡の曇り防止具。
【請求項２】
前記呼気上昇防止部材をマスクと組み合わせて該マスク布面に装着するために、呼気上昇防止部材垂直部の前面に、面ファスナーのフック状起毛部、粘着テープ、針状の突起物、または挟み止め具等の装着部材を備えて、前記マスクの布面と略固定できることを特徴とする請求項１に記載の眼鏡の曇り防止具。
【請求項３】
前記呼気上昇防止部材の垂直部の背面に、呼気上昇防止部材と顔面との隙間を無くして呼気上昇防止部材と顔面との隙間から呼気が上昇することを防ぐために、弾力性と柔軟性の素材からなる漏れ防止部材を備えることを特徴とする請求項１に記載の眼鏡の曇り防止具。
【発明の詳細な説明】
【技術分野】
【０００１】
本発明は、マスクを着用したときに眼鏡が曇ることを防止する眼鏡の曇り防止具に関する。
【背景技術】
【０００２】
眼鏡を使用している人がマスクを着用したときに、呼吸でマスクから排出された呼気が上昇し、呼気中の水蒸気が眼鏡のレンズに凝結して眼鏡を曇らせることがある。従来の眼鏡の曇り防止の多くは，マスクと顔面との隙間を無くしてマスクから漏れる呼気を止めることにより眼鏡の曇りを防止しようとするものである。
【０００３】
また、呼気がマスク布面から漏出しないようにすることで眼鏡の曇りを防止しようとするものがある。特許文献１は、マスクの前面にカバーを取り付けてマスクとカバーの間に空間を作って空気の層で呼気の上昇を防ぐものである。特許文献２は、マスクの上半部分に空気遮断フィルムを被着して不透過性にしたものである。
【０００４】
上記の眼鏡の曇り防止は、いずれもマスクの布面から漏出した呼気がマスクの前面を上昇して眼鏡に接触することを防がないので眼鏡が曇ることがある。
【先行技術文献】
【特許文献】
【０００５】
【特許文献１】実登３１７６５７０
【特許文献２】特開２００９−０６６３８２
【発明の概要】
【発明が解決しようとする課題】
【０００６】
これまでのマスク着用による眼鏡の曇り防止としては、マスクと顔面との隙間を無くすこととマスクの上部を不透過性にすることで、マスク上部から呼気が漏れ出さないようにしたものであり、マスクの布面から漏出した呼気がマスクの前面を上昇して眼鏡を曇らせることを防止するものは無かった。
【０００７】
通常の呼吸で鼻から出た呼気は下方に吐き出されて拡散されるため眼鏡を曇らせることは無いが、マスクを着用したときの呼気はマスクの布面から漏出して拡散すること無くマスクの前面を上昇する。このためにマスクから漏出した呼気中の水蒸気が眼鏡のレンズに凝結して眼鏡を曇らせている。このことを防ぐための眼鏡の曇り防止具を提供する。
【課題を解決するための手段】
【０００８】
本発明の眼鏡の曇り防止具は、マスクの布面から漏出してマスクの前面を上昇する呼気と、マスクと顔面の間から漏れて上昇する呼気の両方の上昇経路を遮断して、眼鏡に呼気が当たらないようにするものである。
【０００９】
本発明は、マスクの布面から漏出してマスクの前面を上昇した呼気を眼鏡から遠ざけて拡散させることにより、眼鏡の曇りを防止できることを主要な特徴とする。
【発明の効果】
【００１０】
本発明の眼鏡の曇り防止具の効果は、マスクの上部に装着された不透過性の薄板からなる廂状の呼気上昇防止部材で、呼気の上昇経路を遮断してマスクの前面を上昇する呼気を拡散させることにより、眼鏡のレンズに凝結する水蒸気が無くなることである。
【図面の簡単な説明】
【００１１】
【図１】眼鏡の曇り防止具の実施方法を示した断面図である。
【図２】眼鏡の曇り防止具の実施方法を示した平面図である。
【図３】眼鏡の曇り防止具をマスクに装着して着用した状態の説明図である。
【発明を実施するための形態】
【００１２】
眼鏡の曇り防止具は、呼気の上昇を防止するための水平部とマスクに取り付けるための垂直部によるＬ字型の不透過性素材からなる廂状の呼気上昇防止部材と、呼気上昇防止部材をマスクに装着させる装着部材と、呼気上昇防止部材と顔面との隙間を無くすための漏れ防止部材から構成される。
【００１３】
呼気上昇防止部材の垂直部を、マスクの上部の顔面側に取り付けることにより眼鏡の曇り防止具はマスクの着用と同時に使用でき、マスクの耳掛けの張力で顔面に密着する。呼気上昇防止部材の水平部は、マスクから出た呼気の上昇経路を遮断して呼気を拡散させるため、眼鏡のレンズに呼気中の水蒸気が凝結することが無くなり、眼鏡の曇りを防止できる。
【００１４】
眼鏡の曇り防止具は、通常使用されている様々な形状のマスクに装着が可能で有り、使い捨てのマスクに対して、脱着が可能なため繰り返して使用できる。
【実施例】
【００１５】
本発明の眼鏡の曇り防止具１０は、図１及び図２に示すように、廂状の呼気上昇防止部材１と、マスクに装着するための装着部材２と、顔面との隙間を無くすための漏れ防止部材３から構成される。
【００１６】
眼鏡の曇り防止具１０は、図３に示すようにマスク２０の顔面側に取り付けてマスクの着用と同時に顔面３０にマスク２０の耳掛けの張力で密着する。
【００１７】
眼鏡の曇り防止具１０をマスク２０に装着する装着部材には、面ファスナーのフック状起毛部、粘着テープ、針状の突起物,挟み止め具などがある。これらのマスク２０に装着するための装着部材２はいずれもマスク２０の布面との脱着が可能であり、様々な形状のマスク２０に繰り返して装着して使用できる。
【００１８】
眼鏡の曇り防止具１０と顔面３０との隙間を無くすための漏れ防止部材３は、呼気上昇防止部材の垂直部１ｂと顔面３０との間で、垂直部１ｂが鼻梁と頬の曲線に合わないことによる隙間をなくすように弾力性と柔軟性を持った適度な厚さの素材とする。また、マスク２０の耳掛けの張力で変形するものとする。
【００１９】
眼鏡の曇り防止具１０の廂状の呼気上昇防止部材１は、垂直部１ｂを顔面に沿うような曲線形状にしておくとともに柔軟性を持って顔面との隙間が少なくなるように変形できるものとし、廂状の水平部１ａは遮断した上昇する呼気が眼鏡から離れるように流れる形状であるとともに透明性の不透過素材からなる薄板で視界の支障にならずに軽量であることが望ましい。
【産業上の利用可能性】
【００２０】
本発明の眼鏡の曇り防止具は、マスクを着用したときに眼鏡が曇ることで生じる視界不良を無くして、眼鏡を使用している人が運転中・仕事中・勉強中等の様々な状況で感じている危険・支障・不便・苛立ち等を解消させるものである。眼鏡が曇ることで生じる視界不良による、危険の防止・能率低下の防止・精神の安定に役立つものである。
市販されて使用して様々な形態のマスクに装着が可能で、繰り返して使用できるため使用範囲が広く便利で有用かつ経済的に活用できる。
【符号の説明】
【００２１】
１  廂状の呼気上昇防止部材
２  廂状の呼気上昇防止部材をマスクに装着する装着部材。
３  廂状の呼気上昇防止部材と顔面との隙間を無くす漏れ防止部材。
１ａ  廂状の呼気上昇防止部材の水平部
１ｂ  廂状の呼気上昇防止部材の垂直部
１０  眼鏡の曇り防止具
２０  マスク
３０  横顔の輪郭
【図１】
0006288589.tif 000002
【図２】
0006288589.tif 000003
【図３】
0006288589.tif 000004